(57)【要約】【課題】ショーケース内へのスライド棚の取付作業や、スライド棚の取付位置を上下方向に変更する作業を容易に行うことができるショーケースのスライド棚を提供する。【解決手段】ショーケース内に引っ掛けられる一対の引掛部４とこれらの引掛部４にスライド可能に取付けられたスライド部５とを有するブラケット２と、スライド部５に着脱可能に取付けられる棚板３とを有する。このため、スライド棚１をショーケース内に取付ける場合には、まず、ブラケット２をショーケース内に引っ掛け、ついで、そのブラケット２に棚板３を取付けることができるので、ブラケットと棚板とが一体となっているスライド棚をショーケースに取付ける場合に比べて、ブラケット２と棚板３とを個々に取付ける作業を行えばよいので、取付作業時に扱う重量が軽くなり、スライド棚１の取付作業を容易に行う事ができる。【選択図】図４
2019205626.tif 000002
【特許請求の範囲】
【請求項１】
ショーケース内に引っ掛けられる一対の引掛部とこれらの引掛部に前記ショーケースの手前側と奥側との間でスライド可能に取付けられたスライド部とを有するブラケットと、前記スライド部に着脱可能に取付けられる棚板とを有することを特徴とするショーケースのスライド棚。
【請求項２】
一対の前記引掛部は連結部により連結されていることを特徴とする請求項１記載のショーケースのスライド棚。
【請求項３】
前記スライド部の上面部には、前記手前側に向けて折り曲げられた折曲部と、この折曲部の折曲方向に向けて張り出した爪部とが設けられ、
前記棚板の前記奥側に位置する端部には、前記折曲部に差し込まれる差し込み部が設けられ、
前記棚板の下面部には、前記爪部が差し込まれる溝部が設けられ、
前記折曲部の折曲寸法は、前記爪部の張り出し寸法より大きく、及び、前記棚板を前記スライド部と共に手前側にスライドさせた場合に前記差し込み部が前記折曲部から外れない寸法に形成されていることを特徴する請求項１又は２記載のショーケースのスライド棚。
【発明の詳細な説明】
【技術分野】
【０００１】
本発明は、ショーケースのスライド棚に係わり、特に、ショーケース内への取付作業や取付位置を上下方向に変更する作業を容易に行うことができるショーケースのスライド棚に関する。
【背景技術】
【０００２】
従来、スーパーマーケットやコンビニエンスストア等の店舗では、内部に複数段の商品陳列棚を有するショーケースが用いられている。これらの商品陳列棚の中には、商品陳列棚への商品の陳列作業を容易にするため、商品陳列棚における商品を載せる部分である棚板を前後方向にスライド可能としたスライド棚が知られている。
【先行技術文献】
【特許文献】
【０００３】
【特許文献１】特開平１１−２９０１６７号公報
【特許文献２】特開２００３−２１９９３８号公報
【発明の概要】
【発明が解決しようとする課題】
【０００４】
しかしながら、特許文献１、２に記載されているスライド棚は、このスライド棚をショーケース内に引っ掛ける部分であるブラケットと、このブラケットに支持されて前後方向にスライド可能な部分である棚板とが一体になっている。このため、スライド棚は重量が重くなり、ショーケース内へスライド棚を引っ掛ける取付作業やスライド棚の取付位置を上下方向に変更する作業に手間がかかっている。また、ブラケットと棚板とが一体になっていることにより、ブラケットをショーケース内に引っ掛ける際の引っ掛け部分を視認することが棚板により妨げられるため、この点もショーケース内へスライド棚を引っ掛ける作業に手間がかかる原因となっている。
【０００５】
本発明は、このような課題を解決するためになされたものであり、その目的は、ショーケース内へのスライド棚の取付作業や、スライド棚の取付位置を上下方向に変更する作業を容易に行うことができるショーケースのスライド棚を提供することである。
【課題を解決するための手段】
【０００６】
本発明に係るショーケースのスライド棚は、ショーケース内に引っ掛けられる一対の引掛部とこれらの引掛部に前記ショーケースの手前側と奥側との間でスライド可能に取付けられたスライド部とを有するブラケットと、前記スライド部に着脱可能に取付けられる棚板とを有する。
【０００７】
また、前述のショーケースのスライド棚は、一対の前記引掛部が連結部により連結されていることが望ましい。
【０００８】
また、前述のショーケースのスライド棚は、前記スライド部の上面部には、前記手前側に向けて折り曲げられた折曲部と、この折曲部の折曲方向に向けて張り出した爪部とが設けられ、前記棚板の前記奥側の端部には、前記折曲部に差し込まれる差し込み部が設けられ、前記棚板の下面部には、前記爪部が差し込まれる溝部が設けられ、前記折曲部の折曲寸法は、前記爪部の張り出し寸法より大きく、及び、前記棚板を前記スライド部と共に手前側にスライドさせた場合に前記差し込み部が前記折曲部から外れない寸法に形成されていることが望ましい。
【発明の効果】
【０００９】
本発明に係るショーケースのスライド棚によれば、スライド棚は、ショーケース内に引っ掛けられる一対の引掛部とこれらの引掛部にスライド可能に取付けられたスライド部とを有するブラケットと、スライド部に着脱可能に取付けられる棚板とを有している。このため、このスライド棚をショーケース内に取付ける場合には、まず、ブラケットをショーケース内に引っ掛け、ついで、そのブラケットに棚板を取付けることができるので、ブラケットと棚板とが一体となっているスライド棚をショーケースに取付ける場合に比べて、ブラケットと棚板とを個々に取付ける作業を行えばよいので、取付作業時に扱う重量が軽くなり、スライド棚の取付作業を容易に行う事ができる。また、ブラケットをショーケース内に取付ける場合には、棚板により視界が妨げられるということがないため、ブラケットの取付位置を目視することが容易になり、ブラケットの引っ掛け作業をより一層容易に行う事ができる。また、既にショーケース内に取付けられているスライド棚の取付位置を上下方向に変更する場合には、ブラケットから棚板を取外してブラケットの引っ掛け位置を上下方向に変更し、その後に棚板をブラケットに取付けることができるので、ブラケットと棚板とが一体となっているスライド棚の取付位置を上下方向に変更する場合に比べて変更する作業を容易に行う事ができる。
【００１０】
また、一対の引掛部は連結部により連結されているので、一対の引掛部が強固に連結された状態となり、これらの引掛部にスライド可能に取付けられたスライド部を安定してスライドさせることができ、スライド部に取付けられた棚板をスムーズにスライドさせることができる。
【００１１】
また、スライド部への棚板の取付けは、棚板の差し込み部をスライド部の折曲部に差し込み、ついで、棚板を手前側に移動させて棚板の溝部にスライド部の爪部を差し込むことにより行われる。このため、スライド部への棚板の取付けを容易に行える。そして、折曲部の折曲寸法は、爪部の張り出し寸法より大きく、及び、棚板を前記スライド部と共に手前側にスライドさせる場合に前記差し込み部が前記折曲部から外れない寸法に形成されているので、棚板を手前側にスライドさせた場合に棚板がスライド部から外れるということを防止することができる。
【図面の簡単な説明】
【００１２】
【図１】棚板を後側にスライドさせた状態のスライド棚を示す斜視図である。
【図２】棚板を手前側にスライドさせた状態のスライド棚を示す斜視図である。
【図３】ブラケットと棚板との連結部分の構造を拡大して示す斜視図である。
【図４】スライド棚をブラケットと棚板とに分離した状態を示す斜視図である。
【図５】スライド部を手前側にスライドさせた状態のブラケットを示す斜視図である。
【図６】棚板の下面部側を示す斜視図である。
【図７】差し込み部を折曲部に差し込む工程を示す断面図である。
【図８】棚板を手前側(矢印Ａ方向)にスライドさせても、差し込み部が折曲部から外れない様子を示す断面図である。
【発明を実施するための形態】
【００１３】
本発明の一実施形態について、図面に基づいて説明する。図１及び図２は、ショーケース（図示せず）の商品陳列室内に取付けて使用されるスライド棚１を示す斜視図である。このスライド棚１は図４に示すように、ブラケット２と棚板３とに分離可能に設けられている。図３は、ブラケット２と棚板３との連結部分の構造を拡大して示す斜視図である。
【００１４】
ブラケット２は、図４及び図５に示すように、このブラケット２をショーケース内の所定の引っ掛け位置に引っ掛けられる一対の引掛部４と、これらの引掛部４にショーケースの手前側(商品の取出開口側)と奥側との間でスライド可能に取付けられたスライド部５とを有している。一対の引掛部４は、スライド棚１がショーケースの商品陳列室内に取付けられた場合にショーケースの横幅方向（左右方向）で対向する位置に設けられており、連結部６により連結されている。なお、スライド部５のスライド動作は、引掛部４に設けられたレール７とスライド部５に設けられたレール（図示せず）とを係合させることにより行われている。
【００１５】
スライド部５の上面部には、図４及び図５に示すように、スライド部５の横幅方向の両端部であってスライド部５のスライド方向の奥側に位置して、スライド方向の手前側に向けてＲ形状に折り曲げられた一対の折曲部８が形成されている。
【００１６】
さらに、スライド部５の上面部には、図３及び図４に示すように、スライド部５の横幅方向の両端部であって折曲部８より手前側に位置し、折曲部８の折曲方向に向けて張り出した一対の爪部９が設けられている。
【００１７】
棚板３の奥側に位置する端部には、図４及び図６に示すようにこの棚板３の横幅方向の両側に位置して一対の差し込み部１０が設けられている。これらの差し込み部１０は、棚板３をスライド部５に取付けた場合に折曲部８に差し込まれるようになっている（図７、図８参照）。
【００１８】
また、棚板３の下面部には、図６に示すように、断面形状Ｕ字形の溝形成部１１が固定されている。この溝形成部１１には、棚板３の横幅方向の両側に位置して一対の溝部１２が形成されている。これらの溝部１２は、棚板３をスライド部５に取付けた場合に爪部９が差し込まれるようになっている。
【００１９】
ここで、折曲部８の折曲寸法“ａ”は、爪部９の張り出し寸法“ｂ”より大きく、及び、図８に示すように、棚板３をスライド部５と共に手前側（矢印Ａ方向）にスライドさせた場合に棚板３がスライド部５に対して手前側に移動しても、差し込み部１０が折曲部８から外れない寸法に形成されている。
【００２０】
棚板３をスライド部５に取付ける場合には、まず、図７に示すように、棚板３を斜めに傾けて奥側に移動させ、差し込み部１０を折曲部８に差し込む。その差し込みが終了した後、棚板３をスライド部５と平行にして棚板３を手前側に移動させることにより、爪部９を溝部１２に差し込む。
【００２１】
このような構成において、このスライド棚１は、ブラケット２と棚板３とに分離可能に設けられている。このため、スライド棚１をショーケースの商品陳列室内に取付ける場合には、まず、ブラケット２と棚板３とを分離し、ブラケット２をショーケース内に引っ掛け、ついで、そのブラケット２に棚板３を取付ける。したがって、ブラケットと棚板とが一体となっているスライド棚の取付けに比べ、ブラケット２と棚板３とを個々に取付ける作業を行えばよいので、取付作業時に扱う重量が軽くなり、スライド棚１の取付作業を容易に行う事ができる。
【００２２】
さらに、ブラケット２を商品陳列室内に引っ掛ける場合には、棚板３により視界が妨げられるということが起こらないため、ブラケット２の引っ掛け位置を目視することが容易になり、ブラケット２の引っ掛け作業をより一層容易に行う事ができる。
【００２３】
また、既にショーケース内に取付けられているスライド棚１の取付位置を上下方向に変更する場合には、ブラケット２から棚板３を取外してブラケット２の引っ掛け位置を上下方向に変更し、その後に棚板３をブラケット２に取付けることができる。したがって、ブラケットと棚板とが一体となっている重量物のスライド棚の取付位置を上下方向に変更する場合に比べて、取付位置を上下方向に変更する作業を容易に行う事ができる。
【００２４】
ここで、一対の引掛部４は連結部６により連結されているので、一対の引掛部４が強固に連結された状態となり、これらの引掛部４にスライド可能に取付けられているスライド部５を安定してスライドさせることができる。このため、スライド部５に取付けられた棚板３をスライドさせる場合、スムーズにスライドさせることができる。
【００２５】
また、スライド部５への棚板３の取付けは、棚板３を奥側へ移動させて差し込み部１０を折曲部８に差し込み、ついで、棚板３を手前側に移動させて溝部１２に爪部９を差し込むことにより行われる。このとき、折曲部８を上方から目視することができるので、差し込み部１０を折曲部８にスムーズに差し込むことができ、スライド部５への棚板３の取付けを容易に行うことができる。そして、折曲部８の折曲寸法“ａ”は、爪部９の張り出し寸法“ｂ”より大きく、棚板３をスライド部５と共に手前側(矢印Ａ方向)にスライドさせた場合に差し込み部１０が折曲部８から外れない寸法に形成されている。このため、棚板３上への商品の陳列のために棚板３を手前側にスライドさせた場合において、棚板３がスライド部５から外れることを防止することができ、棚板３のスライド操作を安全に行うことができる。
【００２６】
なお、本実施形態のスライド棚１は、棚板３とスライド部５とが水平にスライドする場合を例に挙げて説明したが、ブラケットへのスライド部の取付け構造をスライド部の奥側が上下方向に回動可能な構造とし、棚板を奥側にスライドさせる場合に棚板がスライド部と共に後上がりに傾斜するようにしたスライド棚においても、そのスライド棚のスライド部に棚板を着脱可能に取付けてもよい。
【符号の説明】
【００２７】
１    スライド棚
２    ブラケット
３    棚板
４    引掛部
５    スライド部
６    連結部
７    レール
８    折曲部
９    爪部
１０    差し込み部
１１    溝形成部
１２    溝部
【図１】
2019205626.tif 000003
【図２】
2019205626.tif 000004
【図３】
2019205626.tif 000005
【図４】
2019205626.tif 000006
【図５】
2019205626.tif 000007
【図６】
2019205626.tif 000008
【図７】
2019205626.tif 000009
【図８】
2019205626.tif 000010